(57)【要約】【課題】本発明は、埋戻し用柱鋼製型枠に関し、従来の埋め戻用も型枠が存在せず、埋め戻し土砂が法面を形成して打設するコンクリートが無駄になりスラブの厚さが不均一になっていることが課題であって、それを解決することである。【解決手段】柱脚部における埋め戻し空間部１１ａと前記柱脚部に建て込む鉄骨柱１３の周囲のコンクリート打設空間部１６との境に、上下方向に仕切る壁面となるように配設され上部に打設される土間コンクリート１４で埋殺しにされる埋戻し用柱鋼製型枠１とするものである。【選択図】図１
2010222915.tif 000002
【特許請求の範囲】
【請求項１】
柱脚部における埋戻し用空間部と前記柱脚部に建て込む鉄骨柱の周囲のコンクリート打設空間部との境に、上下方向に仕切る壁面となるように配設され上部に打設される土間コンクリートで埋殺しにされること、
を特徴とする埋戻し用柱鋼製型枠。
【請求項２】
型枠は、基礎梁の仕口の内側で径を調整して鉄骨柱を囲うように径調整用スリットが型枠長手方向の両端部に設けられ、且つ、前記柱脚部に臨む基礎梁仕口の高さに揃えられていること、
を特徴とする請求項１に記載の埋戻し用柱鋼製型枠。
【請求項３】
柱脚部に臨む基礎梁の隣の仕口部同士を固定手段で固定して連結し、前記基礎梁の仕口の高さに揃えた埋戻し用空間部と柱周囲のコンクリート打設空間部とを仕切る金属製の屏風金物であること、
を特徴とする請求項１に記載の埋戻し用柱鋼製型枠。
【発明の詳細な説明】
【技術分野】
【０００１】
本発明は、鉄骨（Ｓ）造における柱脚部の埋め戻しをする際に使用できる埋戻し用柱鋼製型枠に関するものである。
【背景技術】
【０００２】
従来、柱脚部の埋め戻しには、図５（Ａ）に示すように、杭頭部の処理および基礎梁を構築した後に、埋戻し用の土砂１１を柱脚部１２の周りに盛っている。その後、鉄骨柱１３を建込みしてベースプレートにボルト締結して立設し、スラブ用（土間）コンクリート１４を打設するものである。
【先行技術文献】
【特許文献】
【０００３】
【特許文献１】特開２００９−７８１８号公報
【特許文献２】特開２００５−２７３２９９号公報
【発明の概要】
【発明が解決しようとする課題】
【０００４】
しかし、従来の柱脚部の埋め戻し作業においては、図５（Ｂ）に示すように、柱脚部の周囲に接近させて埋め戻すだけなので、その端部にはテーパ状の傾斜部である法面ができる。これにより法面と周囲の壁とで形成される空隙部１５となる。そして、そのままスラブ用の土間コンクリート１４を打ち込むので、スラブの厚みが不均一になり、土間コンクリート１４に砕石が混入する可能性が高くなり、更に、前記空隙部１５の分だけコンクリートの打ち込み量が増えてしまう、柱周りのスラブ配筋の施工がしにくく正確性に欠ける、と言う課題がある。本発明に係る埋戻し用柱鋼製型枠は、このような課題を解決するために提案されたものである。
【課題を解決するための手段】
【０００５】
本発明に係る埋戻し用柱鋼製型枠の上記課題を解決して目的を達成するための要旨は、
柱脚部における埋め戻しの部分と前記柱脚部に建て込む鉄骨柱の周囲のコンクリート打設空間との境に、上下方向に仕切る壁面となるように配設され上部に打設される土間コンクリートで埋殺しにされる型枠であることである。
また、前記型枠は、基礎梁の仕口の内側で径を調整して鉄骨柱を囲うように径調整用スリットが型枠長手方向の両端部に設けられ、且つ、前記柱脚部に臨む基礎梁仕口の高さに揃えた型枠であることを含むものである。
更に、柱脚部に臨む基礎梁の隣の仕口部同士を固定手段で固定して連結する型枠であることである。
【発明の効果】
【０００６】
本発明の埋戻し用柱鋼製型枠によれば、柱脚部に建て込む鉄骨柱の周りまで埋め戻しができるようになる。この型枠があることで、従来のような法面が形成されない。
また、スラブの厚さを均一にすることができる。打設する土間コンクリートに砕石が混入するおそれがなくなる。そして、打設するコンクリート両の管理が正確になり、その管理が容易となる。
更に、柱周りのスラブ配筋の施工が正確にできるようになる。
【図面の簡単な説明】
【０００７】
【図１】本発明の第１実施例に係る埋戻し用柱鋼製型枠１の使用状態を示す斜視図である。
【図２】同本発明の埋戻し用柱鋼製型枠１の全体を展開した状態の斜視図である。
【図３】本発明の第２実施例に係る鋼製型枠２の使用状態を示す説明図（Ａ）と、鋼製型枠２の斜視図（Ｂ）とである。
【図４】本発明の鋼製型枠１によって構成される柱脚部の縦断面図である。
【図５】従来例に係る柱脚部の埋め戻し状態を示す説明図（Ａ）と、縦断面図（Ｂ）とである。
【発明を実施するための形態】
【０００８】
本発明に係る埋戻し用柱鋼製型枠は、図１に示すように、柱脚部の周りのコンクリート打設空間部と、埋め戻し空間部との境を明確に形成する型枠を設けるようにするものである。
【実施例１】
【０００９】
本発明に係る鋼製型枠１は、図１に示すように、柱脚部１２における埋戻し用空間部１１ａと前記柱脚部１２に建て込む鉄骨柱１３の周囲のコンクリート打設空間部１６との境に、上下方向に仕切る壁面となるように配設され上部に打設される土間コンクリート１４で埋殺しにされる型枠である。
【００１０】
また、図２に示すように、前記型枠１は、基礎梁１７の仕口の内側で径を調整して鉄骨柱１３を囲うように径調整用スリット１ａ，１ｂが型枠長手方向の両端部に設けられている。更に、型枠１の高さａは、前記柱脚部１３に臨む基礎梁１７仕口の高さに揃えてある。複数個設けられる前記スリット１ａ，１ｂを、任意の位置の組み合わせで互いに係合させることで、この型枠１を円形状態にしたときの径が、ある範囲内において調節できるものである。この型枠１の厚さは任意に設定されるものである。
【００１１】
前記鋼製型枠１を、基礎梁１７仕口の内側に配設して、埋戻し用の土砂１１を柱の際まで埋め戻す。これで、図４に示すように、前記型枠１があることで、従来のような法面が形成されることがなく、上下方向に仕切る型枠１の壁により土砂１１が垂直に仕切られて埋め戻しされる。
【００１２】
前記土砂１１の埋め戻しが完了して、柱脚部１２に鉄骨柱１３がベースプレートに建て入れされ、その周囲のコンクリート打設空間部１６とスラブ用空間とに鉄筋を配筋して、土間コンクリート１４が打設される。なお、鉄骨柱１３の建方を完了した後に、前記鋼製型枠１を施工するようにしても特に支障はない。
【実施例２】
【００１３】
本発明の第２実施例は、図３（Ａ），（Ｂ）に示すように、直角に屈曲させた屏風金物２を、柱脚部１２に臨む基礎梁１７の隣の仕口部同士を、例えばコンクリートビス３等の固定手段で取付孔２ａに挿通させコンクリート壁面に固定して連結する型枠である。柱脚部１２が比較的小さな所では、このような屏風金物２により、コンクリート打設空間部１６と埋戻し用空間部１１ａとを仕切るようにしても良い。
【産業上の利用可能性】
【００１４】
本発明は、柱脚部における埋戻し用としての型枠であるが、その他の建物等の部分で簡易的な仕切り壁を必要とする箇所に適用できるものである。
【符号の説明】
【００１５】
１              埋戻し用柱鋼製型枠、
１ａ，１ｂ      スリット、
２              屏風金物、
２ａ            取付孔、
３              コンクリートビス、
１１            土砂、
１１ａ          埋戻し用空間部、      
１２            柱脚部、
１３            鉄骨柱、
１４            土間コンクリート、
１５            空隙部、
１６            コンクリート打設空間部、
１７            基礎梁。
【図１】
2010222915.tif 000003
【図２】
2010222915.tif 000004
【図３】
2010222915.tif 000005
【図４】
2010222915.tif 000006
【図５】
2010222915.tif 000007